(57)【特許請求の範囲】
【請求項１】
（ａ）入力される動画像のレートよりも低い記録レートを有する記録手段と、
（ｂ）入力される動画像をＮ個（Ｎは２以上の整数）のブロックに分割すると共に、前記動画像が１回入力される毎に１ブロックの動画像を前記記録手段に記録するように制御する手段と、
を備え、前記動画像をＮ回繰り返し入力することにより、前記Ｎ個のブロックの動画像を記録することを特徴とする画像記録装置。
【請求項２】
（ａ）入力される動画像のレートよりも低い記録レートを有する記録手段と、
（ｂ）動画像が入力される毎に所定量の動画像を前記記録手段に記録し、入力された動画像のうち前記記録手段に記録されなかった動画像のみを次回の動画像の入力時に前記記録手段に記録するように制御する手段と、
を備えることを特徴とする画像記録装置。
【請求項３】
記録レートが動画像のレートより低い記録装置に動画像を記録する方法であって、
動画像をＮ個（Ｎは２以上の整数）のブロックに分割し、前記動画像を入力する毎に前記１ブロックの動画像を記録し、前記動画像をＮ回繰り返し入力することにより、前記Ｎ個のブロックの動画像を記録することを特徴とする画像記録方法。
【請求項４】
記録レートが動画像のレートより低い記録装置に動画像を繰り返し入力することで動画像を記録する方法であって、
１回目の記録では入力された動画像を記録可能な範囲で記録し、２回目の記録では１回目に記録できなかった動画像のみを記録し、以後、前回記録できなかった動画像のみを順次記録していくことを特徴とする画像記録方法。
【請求項５】
動画像に付随した映像番号を用いてブロック分割を行う請求項３に記載の画像記録方法。
【請求項６】
動画像に付随した映像番号を用いて、記録されなかった動画像の識別を行う請求項４に記載の画像記録方法。
【請求項７】
動画像に付随した映像番号は、動画像を再生する装置が映像信号と共に再生したものである請求項５に記載の画像記録方法。
【請求項８】
動画像に付随した映像番号は、動画像を再生する装置が再生する装置が再生した映像信号又は音声信号を基に作成したものである請求項５に記載の画像記録方法。
【発明の詳細な説明】
【０００１】
【発明の属する技術分野】
本発明は、動画像を記録する装置及び方法に関し、詳細には、ハードディスク装置のような記録レートが動画像のレートに達していない記録装置に動画像を繰り返し入力して記録する装置及び方法に関する。
【０００２】
【従来の技術】
近年、ハードディスク装置の大容量化と低価格化に伴い、動画像をデジタル化してハードディスク装置に記録することが行われるようになってきた。ハードディスク装置の記録レートはデジタル化した動画像のレートに達していないため、記録の際に、コマ落としやデータ圧縮等を行うことにより、動画像のレートを低下させ、ハードディスク装置の記録レートに適合させていた。あるいは、動画像を時系列に沿って１コマずつ記録することにより、ハードディスク装置の記録レートに適合させていた。
【０００３】
【発明が解決しようとする課題】
しかしながら、コマ落としをして記録した場合には、再生画像がぎくしゃくしたものになってしまう。また、画像データを圧縮した場合には、再生画像の画質の劣化が避けられない。さらに、動画像を１コマずつ記録する場合には、画像データを記録装置に与える再生機を頻繁にスチル再生状態にしなければならない。
【０００４】
本発明はこのような問題点に鑑みてなされたものであった、コマ落とし、データ圧縮、あるいは１コマずつの記録を行うことなく、動画像を記録する画像記録装置及び方法を提供することを目的とする。
【０００５】
【課題を解決するための手段】
前記課題を解決するために、本発明に係る画像記録装置は、入力される動画像のレートよりも低い記録レートを有する記録手段と、入力される動画像をＮ個（Ｎは２以上の整数）のブロックに分割すると共に、動画像が１回入力される毎に１ブロックの動画像を記録手段に記録するように制御する手段とを備え、動画像をＮ回繰り返し入力することにより、Ｎ個のブロックの動画像を記録することを特徴とするものである。
【０００６】
また、本発明に係る画像記録装置は、入力される動画像のレートよりも低い記録レートを有する記録手段と、動画像が入力される毎に所定量の動画像を前記記録手段に記録し、入力された動画像のうち前記記録手段に記録されなかった動画像のみを次回の動画像の入力時に前記記録手段に記録するように制御する手段とを備えることを特徴とするものである。
【０００７】
さらに、本発明に係る画像記録方法は、記録レートが動画像のレートより低い記録装置に動画像を記録する方法であって、動画像をＮ個（Ｎは２以上の整数）のブロックに分割し、動画像を入力する毎に１ブロックの動画像を記録し、動画像をＮ回繰り返し入力することにより、Ｎ個のブロックの動画像を記録することを特徴とするものである。
【０００８】
そして、本発明に係る画像記録方法は、記録レートが動画像のレートより低い記録装置に動画像を繰り返し入力することで動画像を記録する方法であって、１回目の記録では入力された動画像を記録可能な範囲で記録し、２回目の記録では１回目に記録できなかった動画像のみを記録し、以後、前回記録できなかった動画像のみを順次記録していくことを特徴とするものである。
【０００９】
【発明の実施の形態】
以下本発明の実施の形態について図面を参照しながら詳細に説明する。
（第１の実施の形態）
図１は本発明を適用した画像記録装置の第１の形態を示すブロック図である。この図に示すように、この画像記録装置は、映像信号入力端子Ｔ１と映像番号入力端子Ｔ２とを備えている。
【００１０】
映像信号入力端子Ｔ１にはデジタル化されたフルフレームの映像信号が入力される。映像信号は圧縮されたものでもよいし、圧縮されていないものでもよい。この映像信号は、ビデオテープレコーダ（以下ＶＴＲという）やビデオディスクプレーヤ（以下ＶＤＰという）のような、動画の映像信号を繰り返し再生できる装置から出力された映像信号である。ＶＴＲやＶＤＰから再生される映像信号がアナログ信号の場合には、映像信号入力端子Ｔ１に入力する前にＡ／Ｄコンバータによりデジタル化しておく。あるいは、図１の映像信号入力端子Ｔ１とゲート回路１との間にＡ／Ｄコンバータを設け、アナログ映像信号の入力時に使用するように構成してもよい。
【００１１】
映像番号入力端子Ｔ２には、映像信号入力端子Ｔ１に入力される映像信号の番号（以下映像番号という）が入力される。この番号は図１の画像記録装置が映像信号を記録する最小単位、例えばフレームやトラック単位毎に付けられている。
そして、フレーム単位で記録する場合には、例えばＶＩＴＣ（ＶｅｒｔｉｃａｌＩｎｔｅｒｖａｌ  Ｔｉｍｅ  Ｃｏｄｅ）や８ミリビデオのＲＣタイムコードを映像番号とする。また、トラック単位で記録する場合には、例えば民生用デジタルビデオのトラック番号（０〜９）あるいは絶対トラック番号を映像番号とする。
【００１２】
また、図１に示した画像記録装置は映像信号入力端子Ｔ１に接続されたゲート回路１と、ゲート回路１に接続されたＦＩＦＯバッファ２と、ＦＩＦＯバッファ２に接続された記録装置３とを備えている。記録装置３は、ハードディスク装置や光磁気ディスク装置のようなディスク媒体に記録する記録装置、ストリーマのような磁気テープに記録する装置、フラッシュメモリのような半導体メモリに書き込む記憶装置等である。なお、これらの記録装置は当然のことながら再生機能を有するが、本発明は記録に特徴を有するものであるため、記録を行う部分のみを抽出して画像記録装置と称している。
【００１３】
さらに、図１に示した画像記録装置は映像番号を用いて映像信号を複数個のブロックに振り分けるブロック振り分け装置４と、ブロック数をカウントするカウンタ５と、ブロック振り分け装置４の出力とカウンタ５の出力とを比較し、その比較結果をゲート回路１に供給する比較器６とを備えている。
【００１４】
次に図２を参照しながら、図１に示した画像記録装置の動作を説明する。ここで、図２（ａ）〜（ｇ）は図１のａ〜ｇと対応している。また、ここでは、ブロック振り分け装置４は２Ｍフレームの映像信号を２個のブロックに分けて記録するものとした。
【００１５】
映像信号入力端子Ｔ１には、図２（ａ）に示すような、フレーム番号が１〜２Ｍ、すなわち計２Ｍフレームの映像信号ａが２回入力される。この図において“Ｖ”は映像信号であることを意味する。このとき、同時に図２（ｂ）に示すような映像番号ｂが２回入力される。この図において“Ｎ”は映像番号であることを意味する。
【００１６】
ブロック振り分け装置４は、映像番号ｂから、図２（ｃ）に示すような、奇数フレーム期間で“０”、偶数フレーム期間で“１”になる信号ｃを生成し、比較器６へ供給する。図２（ｄ）に示すように、カウンタ５の出力ｄは、１回目の記録時に“０”、２回目の記録時に“１”となる。
【００１７】
比較器６は、信号ｃと信号ｄとが一致している時に“１”、一致していない時に“０”を出力するので、その出力ｅは、図２（ｅ）に示すように、１回目の記録時には奇数フレーム区間に“１”となり、２回目の記録時には偶数フレーム期間に“１”となる。ゲート回路１は、比較器１の出力ｅが“１”の時に開くので、ゲート回路１からＦＩＦＯバッファ２へ送られる映像信号ｆは、図２（ｆ）に示すように、１回目の記録時には奇数フレームの映像信号となり、２回目の記録時には偶数フレームの映像信号となる。
【００１８】
ＦＩＦＯバッファ２は、入力された１フレームおきの映像信号ｆのレートを１／２に変換して、図２（ｇ）に示すような映像信号ｇとし、記録装置３へ与える。記録装置３には、映像番号ｂが記録アドレス指定信号として与えられるので、映像信号ｇは指定されたアドレスに記録される。
【００１９】
なお、以上の説明では２個のブロックに分けて記録しているが、一般にはＫ個（Ｋは２以上の整数）のブロックに分けて記録することができる。その場合、ブロック振り分け装置４及びカウンタ５が共に、ブロック数、すなわち記録回数に対応して０〜Ｋ−１の値を出力するように構成すればよい。
【００２０】
また、前記の説明ではフレーム単位の映像信号を記録しているが、１フレームの整数分の１、例えば民生用デジタルビデオの１トラック（＝１／１０フレーム）を単位として記録してもよい。
【００２１】
（第２の実施の形態）
図３は本発明を適用した画像記録装置の第２の形態を示すブロック図である。ここで、図１と対応する部分には図１と同一の符号が付してある。
【００２２】
この画像記録装置には、図１におけるブロック振り分け装置４、カウンタ５、及び比較器６の代わりに、第１〜第３の論理回路７〜９及び第１，第２の一時記憶装置１０，１１を設けた。
【００２３】
第１の一時記憶装置１０には、動画像の記録開始時に記録すべき全ての映像番号が格納される。一方、第２の一時記憶装置１１には映像番号は格納されていない。
【００２４】
第１の論理回路７は、映像番号入力端子Ｔ２から入力される映像番号ｂと、第１の一時記憶装置１０から出力される映像番号ｈとを比較し、それらが一致していれば“１”、一致していなければ“０”のレベルの信号ｉを第２の論理回路８へ出力する。また、映像番号ｂと映像番号ｈとが一致している時には、第１の一時記憶装置１０に対して次の映像番号を出力するように指令する信号ｊを出力する。
【００２５】
第２の論理回路８は、第１の論理回路７の出力信号ｉとＦＩＦＯバッファ２のオーバーフロー信号ｋとが入力されるＡＮＤ回路である。オーバーフロー信号ｋは、ＦＩＦＯバッファ２がオーバーフローしていない時に“１”となり、オーバーフローしている時に“０”となる。第２の論理回路８の出力ｍは、ゲート回路１へ制御信号として与えられる。ｍのレベルが“１”の時ゲート回路１が開き、“０”の時閉じる。
【００２６】
第３の論理回路９には、ＦＩＦＯバッファ２のオーバーフロー信号ｋと映像番号ｂが入力される。そして、ＦＩＦＯバッファ２がオーバーフローした時の映像番号ｎが第２の一時記憶装置１１に送られる。１回の記録が終了すると、第２の一時記憶装置１１に格納されている映像番号ｎが第１の一時記憶装置１０に転送される。この時、第１の一時記憶装置１０の内容が空であれば、記録を終了する。
【００２７】
次に図４を参照しながら、図１に示した画像記録装置の動作を説明する。ここでは、１〜２Ｍフレームの映像信号の記録を行うものとする。そして、１回目にフレーム（２Ｍ−２）とフレーム（２Ｍ−１）が、ＦＩＦＯバッファ２のオーバーフローにより記録できず、それらを２回目に記録した場合の動作を説明する。なお、図４において、図２と対応する事項には図２と同一の符号が付してある。
【００２８】
第１の一時記憶装置１０には、動画像の記録開始時に記録すべき全ての映像番号である１〜２Ｍが格納される。そして、この映像番号は映像信号入力端子Ｔ１から入力される映像信号ａに同期して読み出され、第１の論理回路７へ送られる。図４（ｈ）に読み出された映像番号を示す。ここで、“Ｎ’”は第１の一時記憶装置１０から読み出された映像番号であることを意味する。第１の論理回路７では、第１の一時記憶装置１０から読み出された映像番号ｈと映像番号入力端子Ｔ２から入力される映像番号ｂとが比較される。１回目の記録時には、映像番号ｈと映像番号ｂとは常に一致しているので、第１の論理回路７の出力信号ｉは、図４（ｉ）に示すように、常時“１“のレベルになる。
【００２９】
第１の論理回路７の出力信号ｉは、第２の論理回路８へ入力される。第２の論理回路８には、ＦＩＦＯバッファ２からオーバーフロー信号ｋも入力されている。そして、映像番号ｂが２Ｍ−２になるまでは、ＦＩＦＯバッファ２から出力されるオーバーフロー信号ｋのレベルが“０”にならない、すなわちオーバーフローしていない。したがって、図４（ｍ）に示されている、第２の論理回路８から出力される信号ｍのレベルも“１”になる。信号ｍのレベルが“１”の時、ゲート回路１は開くので、図４（ｆ）に示すように、ゲート回路１からＦＩＦＯバッファ２には、フレーム１からフレーム２Ｍ−３まで続けて書き込まれる。
【００３０】
ところが、映像番号ｂが２Ｍ−２と２Ｍ−１の時には、ＦＩＦＯバッファ２がオーバーフロー状態になっており、その結果、オーバーフロー信号ｋのレベルが“０”になっている。このため、第２の論理回路８の出力信号ｍのレベルが“０”になるので、ゲート回路１が閉じてしまう。この結果、フレーム（２Ｍ−２）とフレーム（２Ｍ−１）は、ＦＩＦＯバッファ２へ書き込まれず、したがって記録装置３にも記録されない。
【００３１】
そして、映像番号ｂが２Ｍの時にはオーバーフロー信号ｋのレベルが再び“１”になっているので、フレーム２Ｍは記録装置３に記録される。
【００３２】
オーバーフロー信号ｋが“０”の時の映像番号ｂは、第３の論理回路９を通って第２の一時記憶装置１１に書き込まれる。図４の場合には、２Ｍ−２と２Ｍ−１が書き込まれる。第２の一時記憶装置１１に書き込まれた映像番号である、２Ｍ−２と２Ｍ−１は、２回目の記録の前に第１の一時記憶装置１０に転送される。
【００３３】
２回目の記録時にも、画像記録装置の各部は１回目の記録時と同様に動作する。ただし、第１の一時記憶装置１０から読み出される映像番号は、まず２Ｍ−２となる。一方、映像信号入力端子Ｔ１から入力される映像信号ａと、映像番号入力端子Ｔ２から入力される映像番号ｂは１回目と同じである。このため、第１の論理回路７の出力信号ｉのレベルは、映像番号ｂが２Ｍ−２になったときに初めて“１”になる。この時には、ＦＩＦＯバッファ２は当然オーバーフローしていないから、第２の論理回路８の出力信号ｍのレベルも“１”になり、ゲート回路１が開く。その結果、フレーム（２Ｍ−２）はＦＩＦＯバッファ２に書き込まれ、そこから読み出されて記録装置３に記録される。フレーム（２Ｍ−１）についても同様である。
【００３４】
このようにして、２回目の記録が終了したら、再び第２の一時記憶装置１１に格納されている映像番号を第１の一時記憶装置１０へ転送する。この時、第１の一時記憶装置１０の内容が空であれば、記録を終了する。図４の場合には、２回目の記録で全てのフレームの記録ができたので、記録が終わりとなる。
【００３５】
（第３の実施の形態）
図５は本発明を適用した画像記録装置の第３の形態を示すブロック図である。ここで、図１と対応する部分には図１と同一の符号が付してある。また、この図のブロックＡは図１の点線で囲んだ部分であり、ブロックＢは図３の点線で囲んだ部分である。そして、ブロックＡとブロックＢの出力をスイッチＳＷにより切り換え可能に構成されている。つまり、第３の実施の形態は、ユーザーがスイッチＳＷを切り換えることにより、第１の実施の形態における記録動作と第２の実施の形態における記録動作とを選択できるようにしたものである。
【００３６】
以上の説明では、映像番号をＶＩＴＣやＲＣタイムコード、あるいはトラック番号等から得るものとして説明した。次に、これらの情報を用いずに映像番号を得る手段について説明する。
【００３７】
図６は映像番号作成装置の構成の一例を示すブロック図である。この映像番号検出装置は、１フィールドの画面を垂直方向に１／２ｎ  （ｎは１以上の整数）に分割した映像番号を作成して出力する装置である。
【００３８】
この映像番号作成装置は、映像信号入力端子Ｔ３から入力される映像信号から画像の変化を検出する画像変化検出回路２１と、映像信号入力端子Ｔ３から入力される映像信号から垂直同期信号を検出する垂直同期検出回路２２と、映像信号入力端子Ｔ３から入力される映像信号から水平同期信号を検出する水平同期検出回路２３と、画像変化検出回路２１の出力により初期化され、かつ垂直同期検出回路２２の出力をカウントアップするフィールドカウンタ２４と、垂直同期検出回路２２の出力により初期化され、かつ水平同期検出回路２３の出力をカウントアップする走査線カウンタ２５と、走査線カウンタの出力を画面の垂直方向の１／２ｎ  （ｎは１以上の整数）に相当する基準値と比較し、比較結果を出力する比較器２６と、フィールドカウンタ２４の出力と比較器２６の出力とを加算して映像番号を生成する加算器２７とから構成されている。
【００３９】
画像変化検出回路２１は、例えば画面全体が黒から白に変化したことを検出する。この場合、あらかじめ、記録を行いたい画像の前の画面を黒から白へ変化するものにしておくことが必要である。画像変化検出回路２１の出力はフィールドカウンタ２４を初期化する。画像変化検出回路２１の具体的構成については後述する。
【００４０】
垂直同期検出回路２２は映像信号中の垂直同期信号を分離し、画像変化検出回路２１とフィールドカウンタ２４と走査線カウンタ２５とに与える。水平同期検出回路２３は映像信号中の水平同期信号を分離し、走査線カウンタ２５へ与える。
【００４１】
この結果、フィールドカウンタ２４は画像の変化が検出された時点からフィールド数をカウントアップしていく。また、走査線カウンタ２５はフィールド毎に走査線の数をカウントアップしていく。
【００４２】
走査線カウンタ２５の出力は比較器２６へ与えられ、ここで画面の垂直方向の１／２ｎ  （ｎは１以上の整数）に相当する基準値と比較される。例えば画面を１／２に分割する場合には、走査線カウンタ２５の出力が画面の垂直方向の１／２に相当する基準値に達するまでは比較出力を“０”とし、この基準値に達した後は“１”とする。また、画面を１／４に分割する場合には、比較出力を“００”，“０１”，“１０”，“１１“にすればよい。つまり、１／２ｎ  に分割する場合にはｎビットの比較出力が得られるように構成する。
【００４３】
加算器２７はフィールドカウンタ２４の出力を上位ビット、比較器２６の出力を下位ビットとした映像番号を出力する。
【００４４】
なお、画像変化検出回路２１の構成によっては、第１〜第３の実施の形態における一回の記録ごとに初期化が必要となるので、リセット端子Ｔ５を設けて、一回の記録ごとに初期化を行う。また、画像変化検出回路２１が前フィールドとの差を検出する方式では、垂直同期信号が必要となるので、垂直同期検出回路２２から垂直同期信号を受け取るように構成する。
【００４５】
図７は画像変化検出回路２１の具体的構成の一例を示すブロック図である。ここで図６と対応する部分には図６と同一の符号が付してある。この画像変化検出回路は、１フィールド期間の映像信号を積分して画面の平均輝度を算出するＣＲ積分回路３１と、ＣＲ積分回路３１の出力が９０％のレベルより高いか低いかを判定する比較器３２と、ＣＲ積分回路３１の出力が１０％のレベルより高いか低いかを判定する比較器３３と、比較器３３の出力をラッチするラッチ３４と、比較器３２の出力とラッチ３４の出力との論理積を演算するアンド回路３５と、アンド回路３５の出力の変化を検出してパルスを発生するパルス発生器３６とから構成されている。
【００４６】
このように構成された画像変化検出回路において、画面全体が黒から白に変化した時の動作を説明する。なお、画面全体が黒から白に変化する前の画面の平均輝度は１０％レベルより高く、９０％レベルより低いものとする。
【００４７】
画面全体が黒の時には、ＣＲ積分回路３１の出力は１０％レベルより低くなるから、比較器３２の出力は“０”、比較器３３の出力は“１”となる。ラッチ３４からは、１フィールド前の比較器３３の出力が現れるので、この時点ではアンド回路３５の出力は“０”である。
【００４８】
そして、次のフィールドでは画面全体が白になるので、ＣＲ積分回路３１の出力は９０％レベルより高くなる。したがって、比較器３２の出力は“１”、比較器３３の出力は“０”となる。この結果、比較器３２の出力である“１”とラッチ３４の出力である“１”がアンド回路３５に与えられるので、アンド回路３５の出力も“１”となる。
【００４９】
パルス発生器３６はアンド回路３５の出力が“０”から“１”に変化したことを検出した時にパルスを一個発生する。そして、その後はリセット端子Ｔ５からリセット信号が入力されるまでは、アンド回路３５の出力が変化してもパルスを発生しない。
【００５０】
なお、図６の画像変化検出回路２１に代えて、特定のパターンの画像を検出する回路を用いることもできる。また、音声変化検出回路を用いることもできる。この場合、例えばＶＴＲ等の音声トラックの再生出力が無音から有音に変化したことを検出した時、又はあらかじめ録音されている所定の周波数の音声の変化を検出した時に、フィールドカウンタを初期化するように構成すればよい。
【００５１】
図８は映像番号作成装置の構成の他の一例を示すブロック図である。この映像番号検出装置は、フィールド単位の映像番号を作成して出力する装置である。この映像番号検出装置は、コマンド発生器４１と、コマンド発生器４１が発生したコマンドを所定時間遅延する遅延回路４２と、映像信号入力端子Ｔ３から入力される映像信号中の垂直同期信号を分離する垂直同期検出回路４３と、遅延回路４２の出力により初期化され、かつ垂直同期検出回路４３の出力をカウントアップするフィールドカウンタ４４とから構成されている。また、この映像番号検出装置は、映像信号再生装置４５が再生した映像信号を映像信号入力端子Ｔ３を介して入力するように構成されている。
【００５２】
映像信号再生装置４５は例えばＶＴＲであって、その再生映像信号を映像信号入力端子Ｔ３に入力する。また、この映像信号再生装置４５は、再生を開始するトラックを１フィールド単位の精度で設定する能力を持っている。したがって、ＶＴＲの磁気テープを先頭に停止させた状態で再生指令を受け取ると、磁気テープの先頭部分の所定のトラックから再生を開始することができる。よって、コマンド発生器４１が再生指令を発生したタイミングを遅延回路４２により遅延させ、その出力でフィールドカウンタ４４の初期化を行えば、前述した所定のトラックの再生映像信号から順にフィールド単位の映像番号を得ることができる。
【００５３】
【発明の効果】
以上詳細に説明したように本発明によれば、以下の（１）〜（４）に記載した効果を奏する。
（１）記録速度の遅い記録装置であっても、動画像を余すことなく記録できる。
【００５４】
（２）映像番号を出力しない映像再生装置から出力される動画像の記録にも対応できる。
（３）記録中に映像再生装置を頻繁にスチル再生モードにする必要がない。
（４）記録に際して画像圧縮による画質の劣化がない。
【図面の簡単な説明】
【図１】本発明を適用した画像記録装置の第１の形態を示すブロック図である。
【図２】図１に示した画像記録装置の動作を示す図である。
【図３】本発明を適用した画像記録装置の第２の形態を示すブロック図である。
【図４】図３に示した画像記録装置の動作を示す図である。
【図５】本発明を適用した画像記録装置の第３の形態を示すブロック図である。
【図６】映像番号作成装置の構成の一例を示すブロック図である。
【図７】図６の画像変化検出回路の構成の一例を示すブロック図である。
【図８】映像番号作成装置の構成の他の一例を示すブロック図である。
【符号の説明】
１…ゲート、２…ＦＩＦＯバッファ、３…記録装置、４…ブロック振り分け装置、５…カウンタ、６…比較器、７…第１の論理回路、８…第２の論理回路、９…第３の論理回路、１０…第１の一時記憶装置、１１…第２の一時記憶装置、２１…画像変化検出回路
【図１】
0003564873.tif 000002
【図３】
0003564873.tif 000003
【図２】
0003564873.tif 000004
【図４】
0003564873.tif 000005
【図５】
0003564873.tif 000006
【図６】
0003564873.tif 000007
【図７】
0003564873.tif 000008
【図８】
0003564873.tif 000009